(57)【要約】【課題】破砕した金属やプラスチック等の廃棄物、若しくは鉱物、穀物等のバラ物の流れの停滞を防止し、バラ物を搬送路上に均一に分散させることができる簡単な構成のバラ物搬送装置を提供する。【解決手段】バラ物の流入側である上部搬送路１０１と出口側である下部搬送路１０３とを、バラ物分散誘導部１０２を挟んで接続した搬送路１００を備えたバラ物搬送装置であって、バラ物分散誘導部１０２は、搬送路１００の幅方向中央部から出口側へ向かって放射状に下る傾斜面を有するものである。【選択図】図１
2011162271.tif 000002
【特許請求の範囲】
【請求項１】
流入側から出口側にバラ物を搬送する搬送路を備えたバラ物搬送装置であって、
前記搬送路の幅方向中央部から出口側へ向かって放射状に下る傾斜面を有するバラ物分散誘導部を備えたことを特徴とするバラ物搬送装置。
【請求項２】
前記搬送路はバラ物の流入側である上部搬送路と出口側である下部搬送路とを有し、前記上部搬送路と前記下部搬送路とが前記バラ物分散誘導部を挟んで接続されていることを特徴とする、請求項１に記載のバラ物搬送装置。
【請求項３】
前記バラ物分散誘導部は、前記搬送路の流入位置に設けられていることを特徴とする、請求項１に記載のバラ物搬送装置。
【請求項４】
前記バラ物分散誘導部は、前記搬送路と別体として設けられていることを特徴とする、請求項３に記載のバラ物搬送装置。
【請求項５】
前記傾斜面は、バラ物搬送方向に向けて突出した曲面状または多面体状であることを特徴とする、請求項１乃至請求項４のいずれか1項に記載のバラ物搬送装置。
【発明の詳細な説明】
【技術分野】
【０００１】
本発明は、破砕した金属やプラスチック等の廃棄物、若しくは鉱物、穀物等のバラ物を搬送路に搭載して搬送するバラ物搬送装置に関する。
【背景技術】
【０００２】
一般に、従来のバラ物搬送装置においては、幅の広い移送面を有する幅広コンベヤを備え、前記幅広コンベヤ上に、移送方向に向かって放射状に広がって配備され、移送面より上方に突出した複数本の仕切壁が備えられ、それぞれの仕切壁は、相互に間隔をおいて設けられた複数個の仕切板により構成されている（例えば、特許文献1参照）。
【先行技術文献】
【特許文献】
【０００３】
【特許文献１】実開昭５８‐３４０８７号公報（第１頁、第１図）
【発明の概要】
【発明が解決しようとする課題】
【０００４】
従来のバラ物搬送装置においては、材料の形状によっては、複数で構成された仕切板の間にバラ物が停滞し、材料の搬送に支障をきたすという課題が生じる。この対策として、バラ物の形状や大きさなどにより仕切壁の配置等を自由に変えられる構造にすることが挙げられる。
【０００５】
しかしながら、このような構造を得るためには、仕切板の可動範囲を確保しなければならず、そのための構成が必要になる結果、装置の複雑化やコスト高につながる。
【０００６】
本発明は、上記のような課題を解決するためになされたもので、バラ物の流れの停滞を防止し、バラ物を搬送路上に均一に分散させることができる簡単な構成のバラ物搬送装置を提供することを目的とする。
【課題を解決するための手段】
【０００７】
本発明のバラ物搬送装置は、流入側から出口側にバラ物を搬送する搬送路を備えたバラ物搬送装置であって、搬送路の幅方向中央部から出口側へ向かって放射状に下る傾斜面を有するバラ物分散誘導部を備えたものである。
【発明の効果】
【０００８】
本発明のバラ物搬送装置は、搬送路の幅方向中央部から出口側へ向かって放射状に下る傾斜面を有するバラ物分散誘導部によってバラ物を放射状に広げながら搬送するため、バラ物を搬送路上に均一に分散させることが可能となる。
【図面の簡単な説明】
【０００９】
【図１】本発明にかかるバラ物搬送装置の実施の形態１における構成図である。
【図２】本発明にかかるバラ物搬送装置の実施の形態２における構成図である。
【図３】本発明にかかるバラ物搬送装置の実施の形態３における構成図である。
【図４】本発明にかかるバラ物搬送装置の実施の形態３における構成図である。
【図５】本発明にかかるバラ物搬送装置の実施の形態３における構成図である。
【図６】本発明にかかるバラ物搬送装置の実施の形態３における構成図である。
【図７】本発明にかかるバラ物搬送装置の実施の形態４における構成図である。
【図８】本発明にかかるバラ物搬送装置の実施の形態５における構成図である。
【図９】本発明にかかるバラ物搬送装置の実施の形態６における構成図である。
【図１０】本発明にかかるバラ物搬送装置の実施の形態７における構成図である。
【発明を実施するための形態】
【００１０】
実施の形態１．
以下、本発明の実施の形態１を図に基づいて説明する。図１は、本発明の実施の形態１におけるバラ物搬送装置の構成図である。このバラ物搬送装置の搬送路１００は、上部搬送路１０１とバラ物搬送方向に放射状に突出した曲面状のバラ物分散誘導部１０２と下部搬送路１０３を有する。任意の外部装置によって上部搬送路１０１に流入してきたバラ物は、バラ物の搬送速度が最適となるように予め設定された上部搬送路１０１の傾きに従って自然に下方へ進み、バラ物搬送方向に向けて放射状に突出した曲面状のバラ物分散誘導部１０２に進入する。バラ物は、バラ物分散誘導部１０２上を通過することで、図中の矢印Ｄ方向に向かってそれぞれ進む方向を変え、下部搬送路１０３に向かって放射状に広がって進入する。この結果、下部搬送路１０３において、バラ物が放射状かつ均一に分散する。下部搬送路１０３に均一に広がったバラ物は、上部搬送路と同様に予め設定された下部搬送路の傾きに従って、自然に下部搬送路１０３をバラ物搬送方向に進み、下部搬送路１０３の端部となる搬送路出口へ到達する。
【００１１】
このように、バラ物の流れの停滞を緩和し、バラ物を搬送路上に均一に分散させることができる簡単な構成のバラ物搬送装置を提供することが可能となる。また、短距離でバラ物を放射状に広げることが可能なため、装置の軽量化が実現できる。
【００１２】
実施の形態２．
以下、本発明の実施の形態２を図に基づいて、実施の形態１と異なる部分を中心に説明する。図２は、本発明の実施の形態２におけるバラ物搬送装置の構成図である。実施の形態１の図１と異なる点は、加振機２を設けた点である。この加振機２で搬送路１００に振動を加えることにより、上部搬送路に流入してきたバラ物をバラ物搬送方向に搬送する。バラ物の搬送路上での動きについて説明する。上部搬送路１０１に流入してきたバラ物は、バラ物の搬送速度が最適となるように予め設定された加振機の振動によって前方へ進み、バラ物搬送方向に向けて突出した曲面状のバラ物分散誘導部１０２へ進入する。バラ物分散誘導部１０２上を通過することで、バラ物は、図中の矢印Ｄ方向に向かってそれぞれ進む方向を変え、下部搬送路１０３に向かって放射状に広がって進入する。この結果、下部搬送路１０３において、バラ物が放射状かつ均一に分散する。下部搬送路１０３に均一に広がったバラ物は、加振機で与えられた振動により、さらに均一に広がりながら、下部搬送路１０３をバラ物搬送方向に進み、下部搬送路１０３の端部となる搬送路出口へ到達する。
【００１３】
このように、加振機の振動によってバラ物を搬送する構成としても、所期の目的を達成し得る。また、上部搬送路及び下部搬送路が水平であっても、停滞することなくバラ物を搬送することが可能となる。
【００１４】
実施の形態３．
以下、本発明の実施の形態３を図に基づいて、実施の形態２と異なる部分を中心に説明する。図３は、本発明の実施の形態３におけるバラ物搬送装置の構成図である。実施の形態２の図２と異なる点は、搬送路３００の上部搬送路３０１の搬送路幅が、下部搬送路３０３の搬送路幅より狭い構成となっている点である。それぞれの搬送路幅の違いにより、バラ物搬送方向に向けて突出した曲面状のバラ物分散誘導部３０２の形状が、実施の形態２の図２のバラ物分散誘導部１０２と比較して、バラ物搬送方向に対し、より放射状に広がった曲面状に形成される。バラ物は、バラ物分散誘導部３０２上を通過することで、図中の矢印Ｄ方向に向かってそれぞれ進む方向を変え、下部搬送路３０３に向かって放射状に広がって進入する。この結果、下部搬送路３０３において、バラ物がより広く放射状にかつ均一に分散する。この後のバラ物の動きは実施の形態１の図２と同様なので、省略する。
【００１５】
なお、バラ物分散誘導部３０２は、図４で示すような錐面状のバラ物分散誘導部３０２ａ若しくは図示していないが双曲面状の傾斜面、又は図５で示すような扁球面状のバラ物分散誘導部３０２ｂ又は図示していないが球面状の傾斜面としてもよい。さらに、図６に示すように、曲面ではなく、多面体の一種である多角錐面状のバラ物分散誘導部３０２ｃのようにしてもよい。これらの傾斜面を有する搬送路３００ａ、搬送路３００ｂ、又は搬送路３００ｃのいずれにおいても、搬送路３００と同様に、バラ物を搬送することが可能である。
【００１６】
このように、上部搬送路の搬送路幅が、下部搬送路の搬送路幅より狭い構成としても、所期の目的を達成し得る。また、バラ物分散誘導部が、より放射状に広がった曲面状若しくは多面体状に形成されるため、バラ物を搬送路上に、より広くかつ均一に分散させることが可能となる。
【００１７】
実施の形態４．
以下、本発明の実施の形態４を図に基づいて、実施の形態３と異なる部分を中心に説明する。図７は、本発明の実施の形態４におけるバラ物搬送装置の構成図である。実施の形態３の図３と第１に異なる点は、搬送路４００は、外部装置であるコンベヤ３から自然落下によりバラ物の供給を受ける点である。第２に異なる点は、搬送路４００は、上部搬送路を有さず、バラ物搬送方向に突出した曲面状の傾斜面を有するバラ物分散誘導部４０２と一体になって構成されている点である。次に、バラ物の搬送路４００上での動きについて説明する。バラ物の搬送速度が最適となるように予め設定された外部装置であるコンベヤ３より自然落下にて搬送路４００に流入してきたバラ物は、落下位置に位置するバラ物分散誘導部４０２上を通過する。ここでバラ物は、図中の矢印Ｄ方向に向かってそれぞれ進む方向を変え、搬送路４００上の搬送面４０３に向かって放射状に広がって進入する。この結果、搬送面４０３上において、バラ物が放射状かつ均一に分散する。搬送面４０３上に均一に広がったバラ物は、加振機で与えられた振動により、さらに均一に広がりながら、搬送面４０３上をバラ物搬送方向に進み、搬送面４０３の端部となる搬送路出口へ到達する。
【００１８】
なお、バラ物分散誘導部４０２の形状は、図示していないが、実施の形態３の図４又は図５のように、錐面状又は扁球面状のほか、双曲面状、球面状としてもよい。さらに、実施の形態３の図５に示すように、曲面ではなく、多面体の一種である多角錐面としてもよい。
【００１９】
このように、上部搬送路を有さない構成として、装置外の任意の搬送路と組み合わせて使用することも可能である。また、上部搬送路が不要となり、装置の小型化が実現できるため、搬送路を駆動する加振機の駆動電力の省電力化が可能となる。また、装置外の搬送路との構成は、直線的である必要がなく、配置の自由度が高くなる。
【００２０】
実施の形態５．
以下、本発明の実施の形態５を図に基づいて、実施の形態４と異なる部分を中心に説明する。図８は、本発明の実施の形態４におけるバラ物搬送装置の構成図である。実施の形態４の図７と異なる点は、搬送路５００は、バラ物分散誘導部５０２の上端部に、平坦なバラ物受入部５０２１を有する点である。バラ物の搬送速度が最適となるように予め設定された外部装置であるコンベヤ３より自然落下にて搬送路５００に流入してきたバラ物は、落下位置に位置する、バラ物受入部５０２１にて受入られ、バラ物分散誘導部５０２に進入する。この後の動きは実施の形態４の図７同様なので、省略する。
【００２１】
なお、バラ物分散誘導部５０２の傾斜面の形状は、図示していないが、実施の形態３の図４又は図５のように、錐面状又は扁球面状のほか、双曲面状、球面状としてもよい。さらに、実施の形態３の図５に示すように、曲面ではなく、多面体の一種である多角錐面としてもよい。
【００２２】
このように、バラ物分散誘導部の上端部に、平坦なバラ物受入部を有する構成としても、所期の目的を達成し得る。また、受入部によって段階的にバラ物がバラ物分散誘導部に受け入れられるため、バラ物の速度調整が可能となり、バラ物の流入速度が変化しても、バラ物を均一に分散することが可能となる。また、受入部の形状を変化させることで、様々なバラ物の受入に対応することも可能である。
【００２３】
実施の形態６．
以下、本発明の実施の形態６を図に基づいて、実施の形態５と異なる部分を中心に説明する。図９は、本発明の実施の形態６におけるバラ物搬送装置の構成図である。実施の形態５の図８と第１に異なる点は、搬送路６００から独立して固定され、バラ物搬送方向に向けて突出した曲面状の傾斜面を有するバラ物分散誘導部６０２を有する点である。第２に異なる点は、搬送路６００は図示しないモータ等によって動くコンベヤであり、加振機ではなく、このコンベヤによってバラ物が搬送される点である。バラ物の搬送路上での動きについて説明する。外部装置であるコンベヤ３より自然落下にて搬送路６００に流入してきたバラ物は、落下位置に位置する、バラ物分散誘導部６０２に設けられたバラ物受入部６０２１に進入し、自然落下時に与えられた搬送速度にて、バラ物分散誘導部６０２に進入する。バラ物分散誘導部６０２が有する、バラ物搬送方向に向けて突出した曲面状の傾斜面を通過することで、バラ物は、図中の矢印Ｄ方向に向かってそれぞれ進む方向を変え、搬送路６００上の搬送面４０３に向かって放射状に広がって進入する。この結果、搬送面４０３上において、バラ物が放射状かつ均一に分散する。搬送面４０３上に均一に広がったバラ物は、コンベヤに予め設定された搬送速度に従って搬送面４０３上をバラ物搬送方向に進み、搬送面４０３の端部である搬送路出口へ到達する。
【００２４】
なお、バラ物分散誘導部６０２の傾斜面の形状は、図示していないが、実施の形態３の図４又は図５のように、錐面状又は扁球面状のほか、双曲面状、球面状としてもよい。さらに、実施の形態３の図５に示すように、曲面ではなく、多面体の一種である多角錐面としてもよい。
【００２５】
このように、搬送路をコンベヤとし、バラ物分散誘導部を搬送路とは独立して搬送路の搬送面上に設ける構成としても、所期の目的を達成し得る。また、既存のコンベヤを利用し、コンベヤを様々な種類に変更することで、様々なバラ物の搬送に対応することが可能となる。
【００２６】
実施の形態７．
以下、本発明の実施の形態７を図に基づいて説明する。図１０は、本発明の実施の形態７におけるバラ物搬送装置の構成図である。図１０に示す、本発明にかかるバラ物搬送装置は、搬送路を複数直列に接続しても良い。搬送路１００、３００、３００ａ、３００ｂ、３００ｃ、４００、５００、又は６００のいずれも組み合わせが可能である。
【００２７】
このように、本発明にかかるバラ物搬送装置を複数直列に接続しても、所期の目的を達成し得る。また、バラ物を搬送路にさらに均一かつ放射状に広げることが可能となる。
【００２８】
尚、本発明の実施の形態は、上述の実施例にのみ限定されるものではなく、本発明の要旨を逸脱しない範囲内において種々変更を加え得ることは勿論である。
【符号の説明】
【００２９】
１００，３００，３００ａ，３００ｂ，３００ｃ，４００，５００，６００  搬送路、２  加振機、３  コンベヤ、１０１，３０１  上部搬送路、
１０３，３０３  下部搬送路、
１０２，３０２，３０２ａ，３０２ｂ，３０２ｃ，４０２，５０２，６０２  バラ物分散誘導部、
４０３  搬送面、５０２１，６０２１  バラ物受入部。
【図１】
2011162271.tif 000003
【図２】
2011162271.tif 000004
【図３】
2011162271.tif 000005
【図４】
2011162271.tif 000006
【図５】
2011162271.tif 000007
【図６】
2011162271.tif 000008
【図７】
2011162271.tif 000009
【図８】
2011162271.tif 000010
【図９】
2011162271.tif 000011
【図１０】
2011162271.tif 000012